(57)【要約】【課題】本発明は、非同期ＰＷＭ駆動方式のＬＣＤパネル用バックライトインバータを提供する。【解決手段】本発明は、ＬＣＤパネル用バックライトインバータにおいて、照度調節によるディミング電圧（Ｖｄｉｍ）及び内部的に生成されるＰＷＭ発振信号（ＰＷＭ  ＯＳＣ）に応じてＰＷＭパルス（Ｐ１１、Ｐ１２）を生成し、前記ＰＷＭパルスを予め設定された時間だけ遅延させ、前記時間遅延されたＰＷＭパルス（ＰＴ１１、ＰＴ１２）に応じてＰＷＭ駆動信号を出力するメイン駆動集積回路部（２１０）；前記時間遅延されたＰＷＭパルスを予め設定された時間だけ遅延させ、前記時間遅延されたＰＷＭパルスに応じてＰＷＭ駆動信号を出力する少なくとも１つのサブ駆動集積回路部（３１０）；及び、前記ＰＷＭ駆動信号各々に応じて前記複数のランプ（Ｌａｍｐ１〜Ｌａｍｐ４）中各ランプ対を動作させる複数のランプ動作回路部を具備することを特徴とする。【選択図】図１
2005019375.tif 000002
【特許請求の範囲】
【請求項１】
２個のランプが１対で動作する複数のランプ（Ｌａｍｐ１〜Ｌａｍｐ４）を駆動させるためのＬＣＤパネル用バックライトインバータにおいて、
照度調節によるディミング電圧（Ｖｄｉｍ）及び内部的に生成されるＰＷＭ発振信号（ＰＷＭ  ＯＳＣ）によりＰＷＭパルス（Ｐ１１、Ｐ１２）を生成し、前記ＰＷＭパルス（Ｐ１１、Ｐ１２）を予め設定された時間だけ遅延させ、前記時間遅延されたＰＷＭパルス（ＰＴ１１、ＰＴ１２）に応じてＰＷＭ駆動信号（ＰＷＭ１、ＰＷＭ２）を出力するメイン駆動集積回路部（２１０）と、
前記メイン駆動集積回路部（２１０）からの前記時間遅延されたＰＷＭパルス（ＰＴ１１、ＰＴ１２）を予め設定された時間だけ遅延させ、前記時間遅延されたＰＷＭパルス（ＰＴ２１、ＰＴ２２）に応じてＰＷＭ駆動信号（ＰＷＭ３、ＰＷＭ４）を出力する少なくとも１つのサブ駆動集積回路部（３１０）と、
前記ＰＷＭ駆動信号（ＰＷＭ１〜ＰＷＭ４）の各々により前記複数のランプ（Ｌａｍｐ１〜Ｌａｍｐ４）のうち各ランプ対を動作させる複数のランプ動作回路部（２２０、３２０）と、
を有することを特徴とするＬＣＤパネル用バックライトインバータ。
【請求項２】
前記ランプ動作回路部は各々、
前記各ＰＷＭ駆動信号により直流電圧（Ｖｃｃ）を各矩形波電圧に変換する１対のパワースイッチと、
前記パワースイッチの各々からの矩形波電圧を変換する１対のコンバータ部と、
前記コンバータ部の各々からの電圧を交流（ＡＣ）電圧に変換し、該交流電圧を該当ランプ対に出力する１対のトランス発振部と、
前記ランプ対の各ランプに流れる電流による電圧を検出する１対のランプ電圧検出部と、
を有することを特徴とする請求項１に記載のＬＣＤパネル用バックライトインバータ。
【請求項３】
前記メイン駆動集積回路部（２１０）は、
前記ディミング電圧（Ｖｄｉｍ）及びＰＷＭ発振信号（ＰＷＭ  ＯＳＣ）によりＰＷＭパルスを生成するシフト発振制御部（２１１）と、
前記シフト発振制御部（２１１）からのＰＷＭパルスを予め設定された時間だけ遅延させ、該時間遅延されたＰＷＭパルスを生成して内部に出力すると共に、外部の駆動集積回路に出力するシフト発振時間制御部（２１２）と、
前記シフト発振時間制御部（２１２）のＰＷＭパルスと予め準備された基準信号とを比較し、前記ＰＷＭパルスに応じて前記基準信号のデューティ比を調節する比較部（２１３）と、
前記比較部（２１３）からのＰＷＭパルスに応じたＰＷＭ駆動信号を該当パワースイッチに出力する出力駆動部（２１４Ａ、２１４Ｂ）と、
を有することを特徴とする請求項１に記載のＬＣＤパネル用バックライトインバータ。
【請求項４】
前記サブ駆動集積回路部（３１０）は、
前記メイン駆動集積回路部（２１０）からのＰＷＭパルスを予め設定された時間だけ遅延させ、該時間遅延されたＰＷＭパルスを生成して内部に出力すると共に、外部の駆動集積回路に出力するシフト発振時間制御部（３１２）と、
前記シフト発振時間制御部（３１２）のＰＷＭパルスと予め準備した基準信号とを比較し、前記ＰＷＭパルスに応じて前記基準信号のデューティ比を調節する比較部（３１３）と、
前記比較部（３１３）からのＰＷＭパルスに応じたＰＷＭ駆動信号を該当パワースイッチに出力する出力駆動部（３１４Ａ、３１４Ｂ）と、
を有することを特徴とする請求項１に記載のＬＣＤパネル用バックライトインバータ。
【請求項５】
前記シフト発振制御部（２１１）は、
予め設定された周波数を有する三角波パルスを生成するＰＷＭ発振部（２１１Ａ）と、
前記ＰＷＭ発振部（２１１Ａ）からの三角波パルスとディミング電圧（Ｖｄｉｍ）とを比較して第１ＰＷＭパルス（Ｐ１１）を出力する第１比較部（２１１Ｂ）と、
前記ディミング電圧（Ｖｄｉｍ）を予め設定された基準電圧（Ｖｏｓ）を中心として反転させる反転部（２１１Ｃ）と、
前記ＰＷＭ発振部（２１１Ａ）からの三角波パルスと前記反転部（２１１Ｃ）からの反転されたディミング電圧（Ｖｄｉｍ’）とを比較して第２ＰＷＭパルス（Ｐ１２）を出力する第２比較部（２１１Ｄ）と、
を有することを特徴とする請求項３に記載のＬＣＤパネル用バックライトインバータ。
【請求項６】
前記メイン駆動集積回路部（２１０）のシフト発振時間制御部（２１２）は、
前記シフト発振制御部（２１１）からの第１ＰＷＭパルス（Ｐ１１）を予め設定された時間だけ遅延させる第１遅延部（Ｄ１）と、
前記シフト発振制御部（２１１）からの第２ＰＷＭパルス（Ｐ１２）を予め設定された時間だけ遅延させる第２遅延部（Ｄ２）と、
を有することを特徴とする請求項３に記載のＬＣＤパネル用バックライトインバータ。
【請求項７】
前記シフト発振時間制御部（２１２）は、外部端子（ｔｒ１、ｔｒ２、ｔｆ１、ｔｆ２）の各々に連結された複数の遅延時間設定用キャパシタを有することを特徴とする請求項３に記載のＬＣＤパネル用バックライトインバータ。
【請求項８】
前記メイン駆動集積回路部（２１０）のシフト発振時間制御部（２１２）は、
前記第１遅延部（Ｄ１）の出力を基準電圧（Ｖｒ）と比較出力する第１出力比較器（ＣＯＭＰ１）と、
前記第２遅延部（Ｄ２）の出力を基準電圧（Ｖｒ）と比較出力する第２出力比較器（ＣＯＭＰ２）と、
を有することを特徴とする請求項６に記載のＬＣＤパネル用バックライトインバータ。
【請求項９】
前記サブ駆動集積回路部（３１０）のシフト発振時間制御部（３１２）は、
前記メイン駆動集積回路部（２１０）の第１遅延部（Ｄ１）からのＰＷＭパルス（ＰＴ１１）を予め設定された時間だけ遅延する第１遅延部（Ｄ１）と、
前記メイン駆動集積回路部（２１０）の第２遅延部（Ｄ２）からのＰＷＭパルス（ＰＴ１２）を予め設定された時間だけ遅延する第２遅延部（Ｄ２）と、
を有することを特徴とする請求項４に記載のＬＣＤパネル用バックライトインバータ。
【請求項１０】
前記シフト発振時間制御部（３１２）は、外部端子（ｔｒ１、ｔｒ２、ｔｆ１、ｔｆ２）の各々に連結された複数の遅延時間設定用キャパシタを有することを特徴とする請求項４に記載のＬＣＤパネル用バックライトインバータ。
【請求項１１】
前記サブ駆動集積回路部（３１０）のシフト発振時間制御部（３１２）は、
前記第１遅延部（Ｄ１）の出力を基準電圧（Ｖｒ）と比較出力する第１出力比較器（ＣＯＭＰ１）と、
前記第２遅延部（Ｄ２）の出力を基準電圧（Ｖｒ）と比較出力する第２出力比較器（ＣＯＭＰ２）と、
をさらに有することを特徴とする請求項９に記載のＬＣＤパネル用バックライトインバータ。
【発明の詳細な説明】
【技術分野】
【０００１】
本発明は薄膜トランジスタ液晶表示装置（ＴＦＴ−ＬＣＤ：Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ）パネル用バックライトインバータに関するもので、とりわけ複数の冷陰極蛍光ランプ（ＣＣＦＬ）を各々駆動させるために各パワースイッチ（ｐｏｗｅｒ  ｓｗｉｔｃｈ）に入力される複数のＰＷＭ駆動信号を一定の間隔で遅延させ、各ランプ対のＰＷＭ駆動信号の位相が相異するよう制御することにより、各ランプのＰＷＭオン／オフ区間が相異するようになり電源端のオーバーシュート（ｏｖｅｒｓｈｏｏｔ）が減少でき、電源システムの電源供給を安定に維持させ、ＰＷＭディミング（Ｄｉｍｍｉｎｇ）によるスイッチングノイズを減少でき、これにより画面ノイズを減らし、システムの信頼度を高める非同期ＰＷＭ駆動方式のＬＣＤパネル用バックライトインバータに関するものである。
【背景技術】
【０００２】
一般に、冷陰極蛍光ランプ（ｃｏｌｄ  ｃａｔｈｏｄｅ  ｆｌｕｏｒｅｓｃｅｎｔ  ｌａｍｐ：ＣＣＦＬ）は低い電流で動作し低消費電力、低発熱、高輝度及び長寿命などの利点から最近液晶ディスプレー（ＴＦＴ−ＬＣＤ）などのコンピュータモニターのバックライト（Ｂａｃｋ  ｌｉｇｈｔ）、コピー機器の画面表示機など各種の表示機器に用いられている。こうした冷陰極蛍光ランプを点灯させるにはおよそ数十ＫＨｚ・１ＫＶ〜２ＫＶの高いＡＣ電圧が要求されるが、約５〜３０Ｖ範囲の直流（ＤＣ）電圧を変換して数十ＫＨｚ程の周波数・１ＫＶ〜２ＫＶのＡＣ高電圧を提供すべくインバーターが用いられる。
【０００３】
さらに、前記インバーターにおいて、各冷陰極蛍光ランプはパワースイッチ、コンバータ及びトランス発振部を通して数十ＫＨｚのＡＣ電圧により点灯されるが、該冷陰極蛍光ランプをコンピュータモニターのバックライトに用いる場合、通常４〜８個ほどのランプが設けられ、該複数個のランプ各々は各ＰＷＭ駆動信号により動作が制御される。
【０００４】
図９は従来のＬＣＤパネル用バックライトインバータの構成図である。図９を参照して従来のＬＣＤパネル用バックライトインバータについて説明すると、直流電圧（Ｖｃｃ）をパワースイッチ（ＳＷＡ、ＳＷＢ）が矩形波に変換し、該矩形波はインダクタとダイオードと共にコンバータ部（４２０Ａ、４２０Ｂ）を成し、該コンバータ部とトランス発振部（４３０Ａ、４３０Ｂ）により昇圧及び発振され約４０ＫＨｚの周波数を有する１ＫＶ〜２ＫＶの交流電圧に変換され、該交流電圧によりランプ（４４０Ａ、４４０Ｂ）が点灯する。
【０００５】
この際、前記ランプ（４４０Ａ、４４０Ｂ）に流れる電流に起因する電圧は、ランプ電圧検出部（４５０Ａ、４５０Ｂ）により検出されて駆動集積回路（４１０）に供給され、前記駆動集積回路（４１０）では前記検出されたランプ電圧、ディミング電圧（Ｖｄｉｍ）及びＰＷＭ発振信号（ＰＷＭ  ＯＳＣ）に応じて前記パワースイッチ（ＳＷＡ、ＳＷＢ）にＰＷＭ駆動信号を供給する。ここで、従来のＬＣＤパネル用バックライトインバータは、ディミング電圧（Ｖｄｉｍ）及びＰＷＭ発振信号（ＰＷＭ  ＯＳＣ）により冷陰極蛍光ランプ（ＣＣＦＬ）の照度を調節するＰＷＭディミング（Ｄｉｍｍｉｎｇ）方式を使用する。
【０００６】
かかる従来のＬＣＤパネル用バックライトインバータにおいては、マルチ冷陰極蛍光ランプ（ＣＣＦＬ）のディミング（Ｄｉｍｍｉｎｇ）の際、パワースイッチ（ｐｏｗｅｒ  ｓｗｉｔｃｈ）に入力されるＰＷＭ駆動信号の波形が図１１のようにオン及びオフ時間が同一な波形となる。
【０００７】
かかる従来のＬＣＤパネル用バックライトインバータにおいては、ＰＷＭ発振信号とディミング電圧（Ｖｄｉｍ）の電圧レベルとにより生成されたＰＷＭパルスを通して各々の冷陰極蛍光ランプ（ＣＣＦＬ）に電力を供給すべくパワースイッチ（ｐｏｗｅｒ  ｓｗｉｔｃｈ）（ＳＷＡ、ＳＷＢ）のオン／オフ（ｏｎ／ｏｆｆ）区間が同期化されながら前記冷陰極蛍光ランプ（ＣＣＦＬ）の照度を調節していた。
【０００８】
図１０は従来の４個のランプ駆動におけるＰＷＭ駆動回路の構成図である。図９のような従来のＬＣＤパネル用バックライトインバータを用いて４個のランプを動作させる場合には、図１０のように、図９の駆動集積回路（４１０）と同一な２個の第１、第２駆動集積回路（４１０Ａ、４１０Ｂ）を並列接続して４個のランプを動作させる。
【０００９】
図１１は図１０の４個のランプ構成のためのＰＷＭ駆動信号の波形図である。図１１によると、前記ディミング電圧（Ｖｄｉｍ）及びＰＷＭ発振信号（ＰＷＭ  ＯＳＣ）により決定される各ランプ動作のためのＰＷＭ駆動信号（ＰＷＭ１〜ＰＷＭ４）は時間的に同期されオン時間及びオフ時間が各々同一で、該ＰＷＭ駆動信号（ＰＷＭ１〜ＰＷＭ４）により動作するパワースイッチ（ＳＷＡ〜ＳＷＤ）もすべてＰＷＭオン／オフ区間が同期されて動作する。
【００１０】
図１０及び図１１によると、図９に示すようなＬＣＤパネル用バックライトインバータにおいて、例えば４個のランプに適用される場合、ＰＷＭパルスが図１０の第１駆動集積回路（４１０Ａ）のＮＣＯ（Ｎｅｘｔ  Ｃｈａｉｎ  Ｏｕｔ）に出力され第２駆動集積回路（４１０Ｂ）のＮＣＩ（Ｎｅｘｔ  Ｃｈａｉｎ  Ｉｎｐｕｔ）に入力される。この際、同一位相でＰＷＭパルスによりパワースイッチ（ｐｏｗｅｒ  ｓｗｉｔｃｈ）（Ｑ１、Ｑ２）がオン／オフ（ｏｎ／ｏｆｆ）されるので、図１１のようにランプの電流波形は相互に同じ位相を維持することになる。
【発明の開示】
【発明が解決しようとする課題】
【００１１】
ところで、こうした従来のＬＣＤパネル用バックライトインバータは、使用される複数のランプがすべて時間的に同期されＰＷＭオンまたはオフ区間が同一なので、ランプの使用数に比例して電源端にオーバーシュート（ｏｖｅｒｓｈｏｏｔ）が発生するという問題があり、パワースイッチのノイズが同時に発生するのでスイッチングノイズの大きさが増加する問題があり、またランプが点滅するなどの発振モードが生じる可能性があり画面上にちらつきが出るという問題があった。
【００１２】
本発明は前記諸問題を解決すべく提案されたもので、その目的は、複数の冷陰極蛍光ランプ（ＣＣＦＬ）を各々駆動させるために各パワースイッチ（ｐｏｗｅｒ  ｓｗｉｔｃｈ）に入力される複数のＰＷＭ駆動信号を一定の間隔で遅延させ各ランプ対のＰＷＭ駆動信号の位相が相異するよう制御することにより、各ランプのＰＷＭオン／オフ区間が相異して電源端のオーバーシュート（ｏｖｅｒｓｈｏｏｔ）を減少させられ、全体のシステムの電源供給を安定に維持でき、ＰＷＭディミング（Ｄｉｍｍｉｎｇ）によるスイッチングノイズを減少させ、これにより画面ノイズを減らし、システムの信頼度を高める非同期ＰＷＭ駆動方式のＬＣＤパネル用バックライトインバータを提供することにある。
【課題を解決するための手段】
【００１３】
前記本発明の目的を成し遂げるべく、本発明のＬＣＤパネル用バックライトインバータは、２個のランプが１対で動作する複数のランプを駆動させるためのＬＣＤパネル用バックライトインバータにおいて、照度調節によるディミング電圧及び内部的に生成されるＰＷＭ発振信号によりＰＷＭパルスを生成し、前記ＰＷＭパルスを予め設定された時間だけ遅延させ、前記時間遅延されたＰＷＭパルスによりＰＷＭ駆動信号を出力するメイン駆動集積回路部；前記メイン駆動集積回路部からの前記時間遅延されたＰＷＭパルスを予め設定された時間だけ遅延させ、前記時間遅延されたＰＷＭパルスによりＰＷＭ駆動信号を出力する少なくとも１つのサブ駆動集積回路部；及び、前記ＰＷＭ駆動信号の各々により前記複数のランプ中各ランプ対を動作させる複数のランプ動作回路部とを具備することを特徴とする。
【発明の効果】
【００１４】
前述したような本発明によると、薄膜トランジスタ液晶表示装置（ＴＦＴ−ＬＣＤ：Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ）パネル用バックライトインバータにおいて、複数の冷陰極蛍光ランプ（ＣＣＦＬ）の各々を駆動させるべく各パワースイッチ（ｐｏｗｅｒ  ｓｗｉｔｃｈ）に入力される複数のＰＷＭ駆動信号を一定の間隔で遅延させ各ランプのＰＷＭ駆動信号の位相が相異するよう制御することにより、各ランプのＰＷＭオン／オフ区間が相異して電源端のオーバーシュート（ｏｖｅｒｓｈｏｏｔ）を減少でき、電源システムの電源供給を安定に維持させられ、ＰＷＭディミング（Ｄｉｍｍｉｎｇ）によるスイッチングノイズを減少でき、これにより画面ノイズを減らせられ、システムの信頼度を高める効果を奏する。
【発明を実施するための最良の形態】
【００１５】
本発明の好ましき実施の形態について添付の図面を参照しながら詳細に説明する。本発明に添付された図面において実質的に同一な構成と機能を有する構成要素には同一符号を用いる。図１は本発明によるＬＣＤパネル用バックライトインバータの構成図で、図２は図１のメイン駆動集積回路部及びランプ動作回路部の構成で、図３は図１のサブ駆動集積回路部及びランプ動作回路部の構成である。
【００１６】
図１ないし図３によると、本発明によるＬＣＤパネル用バックライトインバータは２個のランプが１対で動作する複数のランプ（Ｌａｍｐ１〜Ｌａｍｐ４）を駆動させるためのＬＣＤパネル用バックライトインバータであって、これは照度調節によるディミング電圧（Ｖｄｉｍ）及び内部的に生成されるＰＷＭ発振信号（ＰＷＭ  ＯＳＣ）によりＰＷＭパルス（Ｐ１１、Ｐ１２）を生成し、前記ＰＷＭパルス（Ｐ１１、Ｐ１２）を予め設定された時間だけ遅延させ、前記時間遅延されたＰＷＭパルス（ＰＴ１１、ＰＴ１２）に応じてＰＷＭ駆動信号（ＰＷＭ１、ＰＷＭ２）を出力するメイン駆動集積回路部（２１０）と、前記メイン駆動集積回路部（２１０）からの前記時間遅延されたＰＷＭパルス（ＰＴ１１、ＰＴ１２）を予め設定された時間だけ遅延させ、前記時間遅延されたＰＷＭパルス（ＰＴ２１、ＰＴ２２）に応じてＰＷＭ駆動信号（ＰＷＭ３、ＰＷＭ４）を出力する少なくとも１つのサブ駆動集積回路部（３１０）と、前記ＰＷＭ駆動信号（ＰＷＭ１〜ＰＷＭ４）の各々により前記複数のランプ（Ｌａｍｐ１〜Ｌａｍｐ４）のうち各ランプ対を動作させる複数のランプ動作回路部（２２０、３２０）とを含む。
【００１７】
図１及び図２によると、前記メイン駆動集積回路部（２１０）は、前記ディミング電圧（Ｖｄｉｍ）及びＰＷＭ発振信号（ＰＷＭ  ＯＳＣ）によりＰＷＭパルスを生成するシフト発振制御部（２１１）と、前記シフト発振制御部（２１１）からのＰＷＭパルス（Ｐ１１、Ｐ１２）を予め設定された時間だけ遅延させ、該時間遅延されたＰＷＭパルス（ＰＴ１１、ＰＴ１２）を生成して内部に出力すると共に、外部の駆動集積回路に出力するシフト発振時間制御部（２１２）と、前記シフト発振時間制御部（２１２）のＰＷＭパルス（ＰＴ１１、ＰＴ１２）と予め準備された基準信号とを比較して、前記ＰＷＭパルスに応じて前記基準信号のデューティ比（ｄｕｔｙ  ｒａｔｉｏ）を調節する比較部（２１３）と、前記比較部（２１３）からのＰＷＭパルスに応じたＰＷＭ駆動信号（ＰＷＭ１、ＰＷＭ２）を該当パワースイッチに出力する出力駆動部（２１４Ａ、２１４Ｂ）とを含む。
【００１８】
前記ランプ動作回路部（２２０）は、前記各ＰＷＭ駆動信号（ＰＷＭ１、ＰＷＭ２）に応じて直流電圧（Ｖｃｃ）を各矩形波電圧に変換する１対のパワースイッチ（ＳＷＡ、ＳＷＢ）と、前記パワースイッチ（ＳＷＡ、ＳＷＢ）各々からの矩形波電圧を変換する１対のコンバータ部（２２１Ａ、２２１Ｂ）と、前記コンバータ部（２２１Ａ、２２１Ｂ）各々からの電圧を交流（ＡＣ）電圧に変換し該交流電圧を該当ランプ対（Ｌａｍｐ１、Ｌａｍｐ２）に出力する１対のトランス発振部（２２２Ａ、２２２Ｂ）と、前記ランプ対の各ランプ（Ｌａｍｐ１、Ｌａｍｐ２）に流れる電流による電圧を検出する１対のランプ電圧検出部（２２３Ａ、２２３Ｂ）とを含む。
【００１９】
図１及び図３によると、前記サブ駆動集積回路部（３１０）は、前記メイン駆動集積回路部（２１０）からのＰＷＭパルス（ＰＴ１１、ＰＴ１２）を予め設定された時間だけ遅延させ、該時間遅延されたＰＷＭパルス（ＰＴ２１、ＰＴ２２）を生成して内部に出力すると共に、外部の駆動集積回路に出力するシフト発振時間制御部（３１２）と、前記シフト発振時間制御部（３１２）のＰＷＭパルス（ＰＴ２１、ＰＴ２２）と予め準備された基準信号とを比較して、前記ＰＷＭパルスに応じて前記基準信号のデューティ比を調節する比較部（３１３）と、前記比較部（３１３）からのＰＷＭパルスに応じたＰＷＭ駆動信号（ＰＷＭ３、ＰＷＭ４）を該当パワースイッチに出力する出力駆動部（３１４Ａ、３１４Ｂ）とを含む。
【００２０】
前記シフト発振時間制御部（２１２）及びシフト発振時間制御部（３１２）は、図５に示すように同一構成とされ得るが、各シフト発振時間制御部は外部端子（ｔｒ１、ｔｒ２、ｔｆ１、ｔｆ２）の各々に連結された複数の遅延時間設定用キャパシタ（Ｃｔｒ１、Ｃｔｒ２、Ｃｔｆ１、Ｃｔｆ２）を含み、該キャパシタの容量値設定により遅延時間を定めることができる。
【００２１】
前記ランプ動作回路部（３２０）は、前記各ＰＷＭ駆動信号（ＰＷＭ３、ＰＷＭ４）に応じて直流電圧（Ｖｃｃ）を各矩形波電圧に変換する１対のパワースイッチ（ＳＷＣ、ＳＷＤ）と、前記パワースイッチ（ＳＷＣ、ＳＷＤ）の各々からの矩形波電圧を変換する１対のコンバータ部（３２１Ａ、３２１Ｂ）と、前記コンバータ部（３２１Ａ、３２１Ｂ）の各々からの電圧を交流（ＡＣ）電圧に変換し該交流電圧を該当ランプ対（Ｌａｍｐ３、Ｌａｍｐ４）に出力する１対のトランス発振部（３２２Ａ、３２２Ｂ）と、前記ランプ対の各ランプ（Ｌａｍｐ３、Ｌａｍｐ４）に流れる電流による電圧を検出する１対のランプ電圧検出部（３２３Ａ、３２３Ｂ）とを含む。
【００２２】
図４は本発明によるシフト発振制御部の構成図である。図４によると、前記シフト発振制御部（２１１）は、予め設定された周波数を有する三角波パルスを生成するＰＷＭ発振部（２１１Ａ）と、前記ＰＷＭ発振部（２１１Ａ）からの三角波パルスとディミング電圧（Ｖｄｉｍ）とを比較して第１ＰＷＭパルス（Ｐ１１）を出力する第１比較部（２１１Ｂ）と、前記ディミング電圧（Ｖｄｉｍ）を予め設定された基準電圧（Ｖｏｓ）を中心に反転させる反転部（２１１Ｃ）と、前記ＰＷＭ発振部（２１１Ａ）からの三角波パルスと前記反転部（２１１Ｃ）からの反転されたディミング電圧（Ｖｄｉｍ’）とを比較して第２ＰＷＭパルス（Ｐ１２）を出力する第２比較部（２１１Ｄ）とを含む。
【００２３】
図５は本発明によるシフト発振時間制御部の構成図である。図５によると、前記メイン駆動集積回路部（２１０）のシフト発振時間制御部（２１２）は、前記シフト発振制御部（２１１）からの第１ＰＷＭパルス（Ｐ１１）を予め設定された時間だけ遅延する第１遅延部（Ｄ１）と、前記シフト発振制御部（２１１）からの第２ＰＷＭパルス（Ｐ１２）を予め設定された時間だけ遅延する第２遅延部（Ｄ２）と、前記第１遅延部（Ｄ１）の出力を基準電圧（Ｖｒ）と比較出力する第１出力比較器（ＣＯＭＰ１）と、前記第２遅延部（Ｄ２）の出力を基準電圧（Ｖｒ）と比較出力する第２出力比較器（ＣＯＭＰ２）とをさらに含む。
【００２４】
前記サブ駆動集積回路部（３１０）のシフト発振時間制御部（３１２）は、前記メイン駆動集積回路部（２１０）の第１遅延部（Ｄ１）からのＰＷＭパルス（ＰＴ１１）を予め設定された時間だけ遅延する第１遅延部（Ｄ１）と、前記メイン駆動集積回路部（２１０）の第２遅延部（Ｄ２）からのＰＷＭパルス（ＰＴ１２）を予め設定された時間だけ遅延する第２遅延部（Ｄ２）と、前記第１遅延部（Ｄ１）の出力を基準電圧（Ｖｒ）と比較出力する第１出力比較器（ＣＯＭＰ１）と、前記第２遅延部（Ｄ２）の出力を基準電圧（Ｖｒ）と比較出力する第２出力比較器（ＣＯＭＰ２）とをさらに含む。
【００２５】
前記シフト発振時間制御部（２１２）またはシフト発振時間制御部（３１２）に対する本発明の一例として、前記第１遅延部（Ｄ１）及び第２遅延部（Ｄ２）の各々は具体的な第１遅延回路部（ＤＡ）及び第２遅延回路部（ＤＢ）とに具現することができる。
【００２６】
図６は図５のシフト発振時間制御部における時間遅延部の構成例で、図７は図４のシフト発振制御部の出力波形図で、図８は本発明による４個のランプ駆動におけるＰＷＭ駆動信号の波形図である。
【００２７】
以下、本発明の作用及び効果について添付の図１ないし図８を参照しながら詳細に説明する。図１によると、本発明のＬＣＤパネル用バックライトインバータは２個のランプが１対で動作する複数のランプ（Ｌａｍｐ１〜Ｌａｍｐ４）を駆動させるが、先ず、本発明のメイン駆動集積回路部（２１０）は照度調節によるディミング電圧（Ｖｄｉｍ）及び内部的に生成されるＰＷＭ発振信号（ＰＷＭ  ＯＳＣ）によりＰＷＭパルス（Ｐ１１、Ｐ１２）を生成し、前記ＰＷＭパルス（Ｐ１１、Ｐ１２）を予め設定された時間だけ遅延させ、前記時間遅延されたＰＷＭパルス（ＰＴ１１、ＰＴ１２）に応じてＰＷＭ駆動信号（ＰＷＭ１、ＰＷＭ２）を出力する。そして、本発明のサブ駆動集積回路部（３１０）は前記メイン駆動集積回路部（２１０）からの前記時間遅延されたＰＷＭパルス（ＰＴ１１、ＰＴ１２）を予め設定された時間だけ遅延させ、前記時間遅延されたＰＷＭパルス（ＰＴ２１、ＰＴ２２）に応じてＰＷＭ駆動信号（ＰＷＭ３、ＰＷＭ４）を出力する。
【００２８】
本発明のＬＣＤパネル用バックライトインバータはランプを４個、６個、８個などと複数個のランプを駆動させるのに用いることができ、例えば、４個のランプ（Ｌａｍｐ１〜Ｌａｍｐ４）を駆動させるためにはメイン駆動集積回路部（２１０，Ｌａｍｐ１、Ｌａｍｐ２を制御する）と１個のサブ駆動集積回路部（３１０，Ｌａｍｐ３、Ｌａｍｐ４を制御する）が必要で、６個のランプ（Ｌａｍｐ１〜Ｌａｍｐ６）を駆動させるためにはメイン駆動集積回路部（２１０，Ｌａｍｐ１、Ｌａｍｐ２を制御する）と２個のサブ駆動集積回路部（３１０，Ｌａｍｐ３〜Ｌａｍｐ６を制御する）が必要で、８個のランプ（Ｌａｍｐ１〜Ｌａｍｐ８）を駆動させるためにはメイン駆動集積回路部（２１０，Ｌａｍｐ１、Ｌａｍｐ２を制御する）と３個のサブ駆動集積回路部（３１０，Ｌａｍｐ３〜Ｌａｍｐ８を制御する）が必要になる。以下では、説明の便宜上４個のランプを用いる場合について説明する。
【００２９】
こうして、各ランプ動作回路部（２２０、３２０）は前記メイン駆動集積回路部（２１０）またはサブ駆動集積回路部（３１０）からの前記ＰＷＭ駆動信号（ＰＷＭ１〜ＰＷＭ４）の各々に応じて前記複数のランプ（Ｌａｍｐ１〜Ｌａｍｐ４）中各ランプ対を動作させる。
【００３０】
図１及び図２を参照しながら前記メイン駆動集積回路部（２１０）について説明する。図２の前記メイン駆動集積回路部（２１０）のシフト発振制御部（２１１）は前記ディミング電圧（Ｖｄｉｍ）及びＰＷＭ発振信号（ＰＷＭ  ＯＳＣ）によりＰＷＭパルスを生成し、前記メイン駆動集積回路部（２１０）のシフト発振時間制御部（２１２）は前記シフト発振制御部（２１１）からのＰＷＭパルスを予め設定された時間だけ遅延させ、該時間遅延されたＰＷＭパルスを生成して内部に出力すると共に、外部の駆動集積回路に出力する。そして、前記メイン駆動集積回路部（２１０）の比較部（２１３）は前記シフト発振時間制御部（２１２）のＰＷＭパルスと予め準備した基準信号とを比較し、前記ＰＷＭパルスにより前記基準信号のデューティ比を調節し、前記メイン駆動集積回路部（２１０）の出力駆動部（２１４Ａ、２１４Ｂ）は前記比較部（２１３）からのＰＷＭパルスによるＰＷＭ駆動信号を該当パワースイッチ（ＳＷＡ、ＳＷＢ）に出力する。
【００３１】
前記ランプ動作回路部（２２０）の１対のパワースイッチ（ＳＷＡ、ＳＷＢ）は前記各ＰＷＭ駆動信号（ＰＷＭ１、ＰＷＭ２）に応じて直流電圧（Ｖｃｃ）を各矩形波電圧に変換し、１対のコンバータ部（２２１Ａ、２２１Ｂ）は前記パワースイッチ（ＳＷＡ、ＳＷＢ）の各々からの矩形波電圧を変換し、１対のトランス発振部（２２２Ａ、２２２Ｂ）は前記コンバータ部（２２１Ａ、２２１Ｂ）の入力を自己発振回路を通して２次端に交流電圧を印加し、該交流電圧を該当ランプ対（Ｌａｍｐ１、Ｌａｍｐ２）に出力する。そして、１対のランプ電圧検出部（２２３Ａ、２２３Ｂ）は前記ランプ対の各ランプ（Ｌａｍｐ１、Ｌａｍｐ２）に流れる電流による電圧を検出する。
【００３２】
図１及び図３を参照しながら前記サブ駆動集積回路部（３１０）について説明する。図３の前記サブ駆動集積回路部（３１０）のシフト発振時間制御部（３１２）は前記メイン駆動集積回路部（２１０）からのＰＷＭパルス（ＰＴ１１、ＰＴ１２）を予め設定された時間だけ遅延させ、該時間遅延されたＰＷＭパルス（ＰＴ２１、ＰＴ２２）を生成して内部に出力すると共に、外部の駆動集積回路に出力し、前記サブ駆動集積回路部（３１０）の比較部（３１３）は前記シフト発振時間制御部（３１２）のＰＷＭパルス（ＰＴ２１、ＰＴ２２）と予め準備した基準信号とを比較し、前記ＰＷＭパルスに応じて前記基準信号のデューティ比を調節する。そして、前記サブ駆動集積回路部（３１０）の出力駆動部（３１４Ａ、３１４Ｂ）は前記比較部（３１３）からのＰＷＭパルスに応じたＰＷＭ駆動信号（ＰＷＭ３、ＰＷＭ４）を該当パワースイッチ（ＳＷＣ、ＳＷＤ）に出力する。
【００３３】
前記ランプ動作回路部（３２０）の１対のパワースイッチ（ＳＷＣ、ＳＷＤ）は前記各ＰＷＭ駆動信号（ＰＷＭ３、ＰＷＭ４）により直流電圧（Ｖｃｃ）を各矩形波電圧に変換し、１対のコンバータ部（３２１Ａ、３２１Ｂ）は前記パワースイッチ（ＳＷＣ、ＳＷＤ）の各々からの矩形波電圧を変換し、１対のトランス発振部（３２２Ａ、３２２Ｂ）は前記コンバータ部（３２１Ａ、３２１Ｂ）の入力を自己発振回路を通して２次端に交流電圧を印加し、該交流電圧を該当ランプ対（Ｌａｍｐ３、Ｌａｍｐ４）に出力する。そして、１対のランプ電圧検出部（３２３Ａ、３２３Ｂ）は前記ランプ対の各ランプ（Ｌａｍｐ３、Ｌａｍｐ４）に流れる電流による電圧を検出する。
【００３４】
前述したように、前記各駆動集積回路部のシフト発振時間制御部（Ｓｈｉｆｔ  Ｏｓｃ  Ｔｉｍｅ  Ｃｏｎｔｒｏｌ）を用いて、前記メイン駆動集積回路部のシフト発振制御部（２１１）から生成されたＰＷＭ信号（Ｐ１１、Ｐ１２）または前記メイン駆動集積回路部のシフト発振時間制御部（Ｓｈｉｆｔ  Ｏｓｃ  Ｔｉｍｅ  Ｃｏｎｔｒｏｌ）から出力されたＰＷＭ信号（ＰＴ１１、ＰＴ１２）が各々の出力駆動部に入力され、各パワースイッチ（ｐｏｗｅｒ  ｓｗｉｔｃｈ）を相異するＰＷＭオン／オフ区間で動作させることになり、これから前記シフト発振時間制御部（Ｓｈｉｆｔ  Ｏｓｃ  Ｔｉｍｅ  Ｃｏｎｔｒｏｌ）は外部キャパシタの充填時間を利用して一定時間シフトさせて出力する。
【００３５】
図４を参照しながら前記メイン駆動集積回路部（２１０）のシフト発振制御部（２１１）について説明する。図４の前記シフト発振制御部（２１１）のＰＷＭ発振部（２１１Ａ）は予め設定された周波数を有する三角波パルス（ＰＷＭ  ＯＳＣ）を生成し、第１比較部（２１１Ｂ）は前記ＰＷＭ発振部（２１１Ａ）からの三角波パルス（ＰＷＭ  ＯＳＣ）とディミング電圧（Ｖｄｉｍ）とを比較して、図７に表す第１ＰＷＭパルス（Ｐ１１）を出力し、反転部（２１１Ｃ）は前記ディミング電圧（Ｖｄｉｍ）を予め設定された基準電圧（Ｖｏｓ）を中心として反転させる。そして、第２比較部（２１１Ｄ）は前記ＰＷＭ発振部（２１１Ａ）からの三角波パルスと前記反転部（２１１Ｃ）からの反転されたディミング電圧（Ｖｄｉｍ’）とを比較して、図７の第２ＰＷＭパルス（Ｐ１２）を出力する。こうした過程において前記第１ＰＷＭパルス（Ｐ１１）と第２ＰＷＭパルス（Ｐ１２）のデューティ（ｄｕｔｙ）が決まる。
【００３６】
図５を参照して前記メイン駆動集積回路部（２１０）のシフト発振時間制御部（２１２）について説明する。図５の前記シフト発振時間制御部（２１２）の第１遅延部（Ｄ１）は前記シフト発振制御部（２１１）からの第１ＰＷＭパルス（Ｐ１１）を予め設定された時間だけ遅延し、第２遅延部（Ｄ２）は前記シフト発振制御部（２１１）からの第２ＰＷＭパルス（Ｐ１２）を予め設定された時間だけ遅延し、第１出力比較器（ＣＯＭＰ１）は前記第１遅延部（Ｄ１）の出力を基準電圧（Ｖｒ）と比較出力する。そして、第２出力比較器（ＣＯＭＰ２）は前記第２遅延部（Ｄ２）の出力を基準電圧（Ｖｒ）と比較出力する。
【００３７】
また、前記サブ駆動集積回路部（３１０）のシフト発振時間制御部（３１２）について説明すると、前記シフト発振時間制御部（３１２）の第１遅延部（Ｄ１）は前記メイン駆動集積回路部（２１０）の第１遅延部（Ｄ１）からのＰＷＭパルスを予め設定された時間だけ遅延し、第２遅延部（Ｄ２）は前記メイン駆動集積回路部（２１０）の第２遅延部（Ｄ２）からのＰＷＭパルスを予め設定された時間だけ遅延し、第１出力比較器（ＣＯＭＰ１）は前記第１遅延部（Ｄ１）の出力を基準電圧（Ｖｒ）と比較出力する。そして、第２出力比較器（ＣＯＭＰ２）は前記第２遅延部（Ｄ２）の出力を基準電圧（Ｖｒ）と比較出力する。
【００３８】
図６は図５のシフト発振時間制御部の時間遅延部の構成図で、前記第１遅延部（Ｄ１）または第２遅延部（Ｄ２）は図６に示すように同一回路とすることができる。図５及び図６によると、ＰＷＭ信号のライジング（ｒｉｓｉｎｇ）とフォーリング（ｆａｌｌｉｎｇ）の際に信号を遅延させるべく外部キャパシタ（ｃａｐａｃｉｔｏｒ）を連結して遅延時間を設定する。第１遅延部（Ｄ１）または第２遅延部（Ｄ２）のＱ１に連結されたキャパシタはＰＷＭ信号（Ｐ１１またはＰ１２）がハイ（ｈｉｇｈ）からロー（ｌｏｗ）になりながら充電（ｃｈａｒｇｅ）される。前記Ｑ１に連結された外部キャパシタが充電されキャパシタの電圧レベルがＶｒ１になるまで電流源（Ｉｃ１）により充電される。この際、キャパシタの電圧レベルがＶｒ１に至ると、（ｂ）の電圧レベルはハイ（ｈｉｇｈ）に設定され（ｃ）はローに設定される。該当時間遅延部においてＰＷＭ信号（Ｐ１１またはＰ１２）がローからハイに設定される場合（ｂ）はローに設定され、Ｔｆ１に連結された外部キャパシタは電流源（Ｉｃ２）により充電され、Ｔｆ１の電圧レベルがＶｆ１になる瞬間（ｃ）はローに設定される。この場合、Ｑ１とＴｆ１に連結されたキャパシタの大きさが等しく電流源の大きさが等しければデューティを維持しながら一定の間隔でＰＷＭ信号（Ｐ１１またはＰ１２）を（ｃ）からシフトさせられる。この場合、信号が遅延される時間は下記数１のように表わされる。
【数１】
2005019375.tif 000003
図８は本発明による４個のランプ駆動におけるＰＷＭ駆動信号の波形図である。図８によると、複数のランプ、例えば４個のランプを用いる場合、図２のメイン駆動集積回路部（２１０）の時間遅延されたＰＷＭ信号（ＰＴ１１、ＰＴ１２）に応じたＰＷＭ駆動信号（ＰＷＭ１、ＰＷＭ２）によりランプ（Ｌａｍｐ１、Ｌａｍｐ２）が動作され、またサブ駆動集積回路部（３１０）の時間遅延されたＰＷＭ信号（ＰＴ２１、ＰＴ２２）に応じたＰＷＭ駆動信号（ＰＷＭ３、ＰＷＭ４）によりランプ（Ｌａｍｐ３、Ｌａｍｐ４）が動作される。
【００３９】
ここで、ＰＷＭ信号中ＰＴ１１とＰＴ１２、そしてＰＴ２１とＰＴ２２は相互反転関係にあり、前記ＰＴ２１はＰＴ１１が設定時間ほどシフトされた信号で、前記ＰＴ２２はＰＴ１２が設定時間ほどシフトされた信号である。前述したような本発明においては、複数の冷陰極蛍光ランプ（ＣＣＦＬ）を用いる場合、電源端に流れる電流量は蛍光ランプ（ＣＣＦＬ）の数に比例し、この際、ランプ（ＣＣＦＬ）の照度を調節すべくＰＷＭ信号を利用したディミング（Ｄｉｍｍｉｎｇ）方式を用い、各々のランプ（ＣＣＦＬ）に電力供給を調節すべくパワースイッチ（ｐｏｗｅｒ  ｓｗｉｔｃｈ）をＰＷＭ駆動信号により同時にオン／オフさせる場合、普通は電源端のオーバーシュート（ｏｖｅｒｓｈｏｏｔ）はランプ（ＣＣＦＬ）の数に比例して大きくなるが、ＰＷＭ駆動信号を各々のランプ（ＣＣＦＬ）に対して一定に遅延（ｄｅｌａｙ）させてオーバーシュート（ｏｖｅｒｓｈｏｏｔ）の大きさを減らし、スイッチング（ｓｗｉｔｃｈｉｎｇ）ノイズを減少させシステムを安定化することができる。
【００４０】
以上の説明は本発明の具体的な実施の形態に係る説明に過ぎず、本発明はこうした具体的な実施の形態に限られる訳ではなく、また本発明による前述した具体的な実施の形態からその構成の多様な変更及び改造が可能なことは本発明の属する技術分野において通常の知識を有する者であれば容易に想到するであろう。
【図面の簡単な説明】
【００４１】
【図１】本発明によるＬＣＤパネル用バックライトインバータの構成図である。
【図２】図１のメイン駆動集積回路部及びランプ動作回路部の構成である。
【図３】図１のサブ駆動集積回路部及びランプ動作回路部の構成である。
【図４】本発明によるシフト発振制御部の構成図である。
【図５】本発明によるシフト発振時間制御部の構成図である。
【図６】図５のシフト発振時間制御部における時間遅延部の構成例である。
【図７】図４のシフト発振制御部の出力波形図である。
【図８】本発明による４個のランプ駆動におけるＰＷＭ駆動信号の波形図である。
【図９】従来のＬＣＤパネル用バックライトインバータの構成図である。
【図１０】従来の４個のランプ駆動におけるＰＷＭ駆動回路の構成図である。
【図１１】図１０の４個のランプ構成のためのＰＷＭ駆動信号の波形図である。
【符号の説明】
【００４２】
２１０  メイン駆動集積回路部
２１１  シフト発振制御部
２１２  シフト発振時間制御部
２１３  比較部
２１４Ａ、２１４Ｂ  出力駆動部
２２０  ランプ動作回路部
ＳＷＡ、ＳＷＢ  パワースイッチ
２２１Ａ、２２１Ｂ  コンバータ部
２２２Ａ、２２２Ｂ  トランス発振部
Ｌａｍｐ１〜Ｌａｍｐ４  ランプ
２２３Ａ、２２３Ｂ  ランプ電圧検出部
３１０  サブ駆動集積回路部
３１２  シフト発振時間制御部
３１３  比較部
３１４Ａ、３１４Ｂ  出力駆動部
３２０  ランプ動作回路部
ＳＷＣ、ＳＷＤ  パワースイッチ
２２１Ａ、２２１Ｂ  コンバータ部
２２２Ａ、２２２Ｂ  トランス発振部
Ｌａｍｐ３、Ｌａｍｐ４  ランプ
２２３Ａ、２２３Ｂ  ランプ電圧検出部
【図１】
2005019375.tif 000004
【図２】
2005019375.tif 000005
【図３】
2005019375.tif 000006
【図４】
2005019375.tif 000007
【図５】
2005019375.tif 000008
【図６】
2005019375.tif 000009
【図７】
2005019375.tif 000010
【図８】
2005019375.tif 000011
【図９】
2005019375.tif 000012
【図１０】
2005019375.tif 000013
【図１１】
2005019375.tif 000014